(57)【特許請求の範囲】
【請求項１】
吸着剤層をロータ回転方向に連続的に配置した吸着ロータの回転経路に、
空気を域内通過過程にあるロータ部分の吸着剤層に通風してその空気を予除湿する予処理域と、
再生用高温気体を域内通過過程にあるロータ部分の吸着剤層に通風してその吸着剤層を再生する再生域と、
パージ用気体を域内通過過程にあるロータ部分の吸着剤層に通風してその吸着剤層をパージするパージ域と、
前記予処理域を通過した予除湿後の空気を域内通過過程にあるロータ部分の吸着剤層に通風してその予除湿後の空気を主除湿する主処理域とを、
その順にロータ回転方向に並べて配置してあるロータ式除湿装置であって、
前記予処理域での吸着剤層に対する空気の通風向きと、前記主処理域での吸着剤層に対する空気の通風向きとを互いに逆向きにしてあるロータ式除湿装置。
【請求項２】
前記予処理域での吸着剤層に対する空気の通風向きと、前記再生域での吸着剤層に対する再生用高温気体の通風向きとを互いに逆向きにしてある請求項１記載のロータ式除湿装置。
【請求項３】
前記パージ域での吸着剤層に対するパージ用気体の通風向きと、前記主処理域での吸着剤層に対する空気の通風向きとを同じ向きにしてある請求項２記載のロータ式除湿装置。
【発明の詳細な説明】
【０００１】
【発明の属する技術分野】
本発明は、空気中水分の存在を嫌う物品の製造施設や環境試験室などにおいて、低湿度環境（すなわち、低露点環境）を形成するのに用いるロータ式除湿装置に関し、
詳しくは、図４，図５に示す如く、吸着剤層Ｘをロータ回転方向に連続的に配置した吸着ロータ３の回転経路に、空気ＯＡを域内通過過程にあるロータ部分の吸着剤層Ｘに通風してその空気ＯＡを予除湿する予処理域４と、再生用高温気体ＨＡを域内通過過程にあるロータ部分の吸着剤層Ｘに通風してその吸着剤層Ｘを再生する再生域５と、パージ用気体ＰＡを域内通過過程にあるロータ部分の吸着剤層Ｘに通風してその吸着剤層Ｘをパージするパージ域と、前記予処理域４を通過した予除湿後の空気ＯＡ′を域内通過過程にあるロータ部分の吸着剤層Ｘに通風してその予除湿後の空気ＯＡ′を主除湿する主処理域７とを、その順にロータ回転方向に並べて配置してあるロータ式除湿装置に関する。
【０００２】
【従来の技術】
従来、この種のロータ式除湿装置では、同図４，図５に示す如く、吸着ロータ３の回転経路に上記の予処理域４、再生域５、パージ域６、主処理域７をその順にロータ回転方向に並べて配置する構成において、予処理域４での吸着剤層Ｘに対する空気ＯＡの通風向きと、主処理域４での吸着剤層Ｘに対する空気ＯＡ′の通風向きとを同じ向きにしており、換言すれば、予処理域４と主処理域７との夫々において吸着剤層Ｘの同じ側の面が空気ＯＡ，ＯＡ′の入口面となる装置構成になっていた（特開平６−３４３８１９号公報、特開２０００−２４０９７９号公報参照）。
【０００３】
【発明が解決しようとする課題】
しかし、上記の従来装置では、予処理域４を通過した予除湿後の空気ＯＡ′を主処理域７に導くのに、図４，図５に示す如く吸着ロータ３を跨ぐ状態の域間導風路１０を形成しなければならず、この為、装置構造が複雑になって装置が大型になるとともに装置コストも高く付く問題があった。
【０００４】
この実情に鑑み、本発明の主たる課題は、合理的な改良により上記問題を効果的に解消する点にある。
【０００５】
【課題を解決するための手段】
〔１〕請求項１に係る発明はロータ式除湿装置に係り、その特徴は、
吸着剤層をロータ回転方向に連続的に配置した吸着ロータの回転経路に、
空気を域内通過過程にあるロータ部分の吸着剤層に通風してその空気を予除湿する予処理域と、
再生用高温気体を域内通過過程にあるロータ部分の吸着剤層に通風してその吸着剤層を再生する再生域と、
パージ用気体を域内通過過程にあるロータ部分の吸着剤層に通風してその吸着剤層をパージするパージ域と、
前記予処理域を通過した予除湿後の空気を域内通過過程にあるロータ部分の吸着剤層に通風してその予除湿後の空気を主除湿する主処理域とを、
その順にロータ回転方向に並べて配置する構成において、
前記予処理域での吸着剤層に対する空気の通風向きと、前記主処理域での吸着剤層に対する空気の通風向きとを互いに逆向きにしてある点にある。
【０００６】
つまり、この構成によれば（図１，図２参照）、予処理域４を通過した予除湿後の空気ＯＡ′を主処理域７に導くのに、そのための域間導風路として、吸着ロータ３を跨ぐことなく単に予除湿後の空気ＯＡ′を変向させるだけの簡略で短尺な域間導風路１０を形成するだけで済み、これにより、先述の従来装置に比べ装置構造を簡略にすることができて装置を効果的に小型化することができ、また、装置コストも低減することができる。
【０００７】
〔２〕請求項２に係る発明は、請求項１に係る発明の実施に好適な実施形態を特定するものであり、その特徴は、
前記予処理域での吸着剤層に対する空気の通風向きと、前記再生域での吸着剤層に対する再生用高温気体の通風向きとを互いに逆向きにしてある点にある。
【０００８】
つまり（同図１，図２参照）、空気通風状態にある吸着剤層Ｘは空気ＯＡ，ＯＡ′の入口側にある部分の方が出口側にある部分に比べ吸着が早く進んで含水率が高くなるが、予処理域４で予除湿した後の低湿の空気ＯＡ′を除湿する主処理域７に比べ、高湿の空気ＯＡを除湿する予処理域４の方が域全体としての除湿量（換言すれば吸着量）は大きいことから、吸着剤層Ｘに対する空気ＯＡ，ＯＡ′の通風向きを予処理域４と主処理域７とで互いに逆向きにする請求項１に係る発明の構成では、主処理域７と予処理域４とを経て再生域５に入る吸着剤層Ｘは、予処理域４で空気ＯＡの入口側となった部分の方が出口側となった部分よりも吸着が進んで含水率が高くなる。
【０００９】
一方、再生域５にある吸着剤層Ｘについては、再生用高温気体ＨＡの入口側にある部分の方が出口側にある部分よりも再生用高温気体ＨＡからの熱付与による昇温が早くて高温になる。
【００１０】
したがって、上記の如く予処理域４での吸着剤層Ｘに対する空気ＯＡの通風向きと再生域５での吸着剤層Ｘに対する再生用高温気体ＨＡの通風向きとを互いに逆向きにして、予処理域４で空気ＯＡの出口側となった吸着剤層部分（すなわち、含水率が低くて吸着水分の脱着に高温を要する部分）を再生域５で再生用高温気体ＨＡの入口側に位置させるようにすれば、逆の場合に比べ、吸着剤層Ｘにおける含水率の分布に対し温度分布を適合させた状態（略言すれば、高温の無駄使いを回避した状態）で、再生域５の全体としての脱着性能をより高く確保することができ、その分、主処理域７及び予処理域４での吸着性能も高めることができ、これにより、吸着剤層Ｘに対する空気ＯＡ，ＯＡ′の通風向きを予処理域４と主処理域７とで互いに逆向きにする構成にしながらも、高い除湿性能を得ることができる。
【００１１】
〔３〕請求項３に係る発明は、請求項２に係る発明の実施に好適な実施形態を特定するものであり、その特徴は、
前記パージ域での吸着剤層に対するパージ用気体の通風向きと、前記主処理域での吸着剤層に対する空気の通風向きとを同じ向きにしてある点にある。
【００１２】
つまり（同図１，図２参照）、再生域５で高温となった吸着剤層Ｘはパージ域６でパージ用気体ＰＡの通風により急速に冷却されるが、この際、吸着剤層Ｘはパージ用気体ＰＡの入口側にある部分の方が出口側にある部分よりも降温が早いため、パージ域６を経て主処理域７に入る吸着剤層Ｘはパージ域６でパージ用気体ＰＡの入口側となった部分の方が出口側となった部分よりも低温になる。
【００１３】
一方、吸着は発熱反応であるため主処理域７にある吸着剤層Ｘは昇温するが、発生熱による通過空気ＯＡ′の漸次昇温のため、吸着剤層Ｘの昇温巾は空気ＯＡ′の出口側にある部分の方が入口側にある部分よりも大きくなる。
【００１４】
これらのことから、パージ域６での吸着剤層Ｘに対するパージ用気体ＰＡの通風向きと主処理域７での吸着剤層Ｘに対する空気ＯＡ′の通風向きとを互いに逆向きにした場合では、パージ域６でパージ用気体ＰＡの入口側となった吸着剤層部分（すなわち、低温で吸着効率の高い部分）が主処理域７で空気ＯＡ′の出口側に位置することで高温になって、その部分の高い吸着効率が損なわれてしまうのに対し、上記の如くパージ域６での吸着剤層Ｘに対するパージ用気体ＰＡの通風向きと主処理域７での吸着剤層Ｘに対する空気ＯＡ′の通風向きとを同じ向きにすれば、吸着効率の高い吸着剤層部分（パージ域６でパージ用気体ＰＡの入口側となった部分）が主処理域７で高温になるのを抑止することができて、その部分の高い吸着効率を効果的に維持することができ、これにより、主処理域７の全体としての吸着性能を一層高く確保して除湿性能を一層効果的に高めることができる。
【００１５】
【発明の実施の形態】
図１において、１は空気中水分の存在を嫌う物品（例えば電子部品、薬剤、フィルム等）の製造作業を行なう低湿化対象域としてのドライルームであり、このドライルーム１へは、吸着ロータ使用の除湿装置２により生成した極低湿の空気ＳＡ（例えば、露点温度−３５℃の空気）を供給し、この低湿空気ＳＡの供給によりドライルーム１を所要の低湿雰囲気に維持する。
【００１６】
除湿装置２の吸着ロータ３は、シリカゲル、ゼオライト、活性炭などの吸着剤を用いた通気性の吸着剤層Ｘをロータ構成材としてロータ回転方向に連続的に配置したものであり、本実施形態では図２に示す如く、ロータ回転軸芯Ｐの方向に気体通過させる円盤状の吸着ロータ３を用いている。
【００１７】
また、吸着ロータ３の回転経路は、ロータ回転方向において予処理域４、再生域５、パージ域６、主処理域７の四域に区画してあり、これら四域４〜７を上記の記載順にロータ回転方向に並べた配置にすることで、吸着ロータ３の回転に伴い、ロータ各部を予処理域４、再生域５、パージ域６、主処理域７の順に移行させる。
【００１８】
８は外部から外気ＯＡを導入する外気導入路であり、この外気導入路８には、導入外気ＯＡ（例えば、乾球温度３４℃，絶対湿度２２．１ｇ／ｋｇＤＡの空気）を浄化するフィルタ９Ａ、及び、そのフィルタ９Ａにより浄化した外気ＯＡを予冷するプレクーラ９Ｂを装備してある。９Ｃはプレクーラ９Ｂに装備のエリミネータである。
【００１９】
そして、前記予処理域４では、これらフィルタ９Ａ及びプレクーラ９Ｂにより浄化・予冷処理した導入外気ＯＡを処理対象空気として域内通過過程にあるロータ部分の吸着剤層Ｘに通風することで、その外気ＯＡを吸着剤層Ｘによる水分吸着により除湿（予除湿）する。
【００２０】
また、前記主処理域７では、域間導風路１０を通じて予処理域４から導かれる予除湿後の外気ＯＡ′を域内通過過程にあるロータ部分の吸着剤層Ｘ（すなわち、予処理域４での使用前の吸着能力が高い吸着剤層）に対し、予処理域４での外気ＯＡの通風向きとは逆向きに通風することで、その予除湿後の外気ＯＡ′を同じく吸着剤層Ｘによる水分吸着により所要湿度までさらに除湿（主除湿）し、この主除湿後の外気ＯＡ″をアフタークーラ１１により冷却した上で生成低湿空気ＳＡとして給気路１２を通じてドライルーム１に供給する。
【００２１】
一方、１３は再生用の外気ＯＡを導入する再生用外気導入路であり、この再生用外気導入路１３には、導入した再生用外気ＯＡを浄化するフィルタ１４、及び、そのフィルタ１４により浄化した再生用外気ＯＡを所定温度まで加熱して再生用高温気体ＨＡを生成する再生用加熱器１５を装備してある。
【００２２】
そして、前記再生域５では、再生用加熱器１５で生成した再生用高温気体ＨＡを域内通過過程にあるロータ部分の吸着剤層Ｘ（すなわち、主除湿及び予除湿に用いた後の吸着剤層）に対し、予処理域４での外気ＯＡの通風向きとは逆向きに通風することで、主処理域７及び予処理域４での吸着水分を吸着剤層Ｘから脱着させて、その吸着剤層Ｘを再生する。
【００２３】
また、パージ域６では、前記域間導風路１０からパージ用分流路１６へ分流した一部の予除湿後外気ＯＡ′をパージ用気体ＰＡとして域内通過過程にあるロータ部分の吸着剤層Ｘに対し、主処理域７での外気ＯＡ′の通風向きと同じ向きに通風することで、その吸着剤層Ｘ中に残る再生用高温気体ＨＡの掃気（パージ）、及び、吸着剤層Ｘの冷却を行ない、このパージ域６での掃気・冷却処理を経て、再生域５での再生後の吸着剤層Ｘをロータ３の回転に伴い主処理域７及びそれに続く予処理域４へ再び移行させる。
【００２４】
１７は再生域５から送出される使用済みの再生用高温気体ＨＡ′を外部へ排出する排気路、１８はこの排気路１７から使用済み再生用高温気体ＨＡ′の一部を分流して、その分流気体ＨＡ″を再生用外気導入路１３の再生用外気ＯＡに混合する排気側の熱回収用混合路であり、また、１９はパージ域６から送出される使用済みのパージ用気体ＰＡ′を再生用外気導入路１３の再生用外気ＯＡに混合するパージ側の熱回収用混合路である。
【００２５】
２０はパージ用分流路１６の分岐箇所よりも上流側で域間導風路１０に介装した処理側ファンであり、この処理側ファン２０により、外気導入路８を通じての外気ＯＡの導入、予処理域４及び主処理域７の夫々での吸着剤層Ｘに対する外気ＯＡ，ＯＡ′の通風、並びに、パージ域６での吸着剤層Ｘに対するパージ用気体ＰＡの通風を行なう。
【００２６】
また、２１は排気側の熱回収用混合路１８の分岐箇所よりも上流側で排気路１７に介装した再生側ファンであり、この再生側ファン２１により、再生用外気導入路１３を通じての再生用外気ＯＡの導入、及び、再生域５での吸着剤層Ｘに対する再生用高温気体ＨＡの通風を行なう。
【００２７】
２２はパージ用分流路１６に介装したパージ側ダンパであり、上記の如く処理側ファン２０を主処理域７での吸着剤層Ｘに対する外気ＯＡ′の通風とパージ域６での吸着剤層Ｘに対するパージ用気体ＰＡの通風とに兼用することに対し、このパージ側ダンパ２２の開度を調整することで主処理域７を隣のパージ域６に対して陽圧に保ち、これにより、除湿性能の低下原因となるパージ域６から主処理域７への気体漏洩を確実に防止する。
【００２８】
なお、処理側ファン２０を域間導風路１０に介装する形式を採ることで、主処理域７は反対隣の予処理域４に対しても陽圧に維持され、これにより、除湿性能の低下原因となる予処理域４から主処理域７への気体漏洩も確実に防止される。
【００２９】
２３は再生用加熱器１５で生成した再生用高温気体ＨＡを再生域５に導く再生用導風路２４に介装した再生側ダンパであり、上記の如く処理側ファン２０を域間導風路１０に介装する形式を採ることに対し、この再生側ダンパ２３の開度を調整することで予処理域４を隣の再生域５に対して陽圧に保ち、これにより、やはり除湿性能の低下原因となる再生域５から予処理域４への気体漏洩も確実に防止する。
【００３０】
〔別実施形態〕
次に別実施形態を列記する。
【００３１】
前述の実施形態では、ロータ回転軸芯Ｐの方向に気体通過させる円盤状の吸着ロータを用いる例を示したが、図３に示す如く、回転半径方向に気体通過させる円筒状の吸着ロータ３を用いるロータ式除湿装置において、予処理域４での吸着剤層Ｘに対する空気ＯＡの通風向きと主処理域７での吸着剤層Ｘに対する空気ＯＡ′の通風向きとを互いに逆向きにする請求項１に係る発明の構成（すなわち、予処理域４と主処理域７との夫々において吸着剤層Ｘの同じ側の面が空気ＯＡ，ＯＡ′の入口面となる構成）を採るようにしてもよい。
【００３２】
また、このように円筒状の吸着ロータ３を用いるロータ式除湿装置で請求項１に係る発明の構成を採用したものに対し、同図３に示す如く、予処理域４での吸着剤層Ｘに対する空気ＯＡの通風向きと再生域５での吸着剤層Ｘに対する再生用高温気体ＨＡの通風向きとを互いに逆向きにする請求項２に係る発明の構成や、パージ域６での吸着剤層Ｘに対するパージ用気体ＰＡの通風向きと主処理域７での吸着剤層Ｘに対する空気ＯＡ′の通風向きとを同じ向きにする請求項３に係る発明の構成を採用するようにしてもよい。
【００３３】
そしてまた、吸着ロータ３は円盤状ロータや円筒状ロータに限られるものではなく、帯面に対し直交する方向に気体通過させる無端帯状のロータであってもよく、この無端帯状の吸着ロータを用いるロータ式除湿装置において請求項１〜３に係る発明の構成を採用するようにしてもよい。
【００３４】
再生用高温気体ＨＡは、高温空気、高温水蒸気、燃焼ガスなど、吸着剤層Ｘから吸着水分を脱着させ得るものであれば、どのような高温気体であってもよく、また、パージ用気体ＰＡについても、予除湿後の空気ＯＡ′の一部に限らず、主除湿後の空気ＯＡ″の一部やその他の気体など、再生後の吸着剤層Ｘに対する掃気・冷却処理を行ない得るものであれば、どのような気体であってもよい。
【００３５】
前述の実施形態では、予処理域４において吸着剤層Ｘに１００％外気を通風する全外気方式の例を示したが、予処理域４での処理対象空気は１００％外気に限られるものでなく、外部からの導入外気ＯＡに対しドライルーム１からの排気空気の一部や主除湿後の空気ＯＡ″の一部あるいは予除湿後の空気ＯＡ′の一部を混合した空気などを予処理域４において予除湿するようにしてもよい。
【００３６】
また、主処理域７での主除湿についても、前述の実施形態の如く予除湿後の空気ＯＡ′のみを主処理域７で主除湿するのに代え、予除湿後の空気ＯＡ′に対しドライルーム１からの排気空気の一部や主除湿後の空気ＯＡ″の一部を混合した空気を主処理域７において主除湿するようにしてもよい。
【００３７】
主除湿後の低湿空気ＯＡ″の用途、ならびに、主除湿後の低湿空気ＯＡ″を供給する低湿化対象域１の用途は、どのようなものであってもよく、本発明によるロータ式除湿装置は各種分野において種々の用途に使用できる。
【図面の簡単な説明】
【図１】装置の全体構成を示す図
【図２】吸着ロータ部分の斜視図
【図３】別実施形態を示す吸着ロータ部分の斜視図
【図４】従来装置の全体構成を示す図
【図５】従来装置における吸着ロータ部分の斜視図
【符号の説明】
３            吸着ロータ
４            予処理域
５            再生域
６            パージ域
７            主処理域
ＨＡ          再生用高温気体
ＯＡ          空気
ＯＡ′        予除湿後の空気
ＰＡ          パージ用気体
Ｘ            吸着剤層
【図１】
0003979824.tif 000002
【図２】
0003979824.tif 000003
【図３】
0003979824.tif 000004
【図４】
0003979824.tif 000005
【図５】
0003979824.tif 000006